(57)【要約】【課題】装置のＯＮ／ＯＦＦや温度を時刻毎に設定する等の複雑な設定を容易に行うことのできる設定入力装置を提供する。【解決手段】表示部１１と、表示部１１の画面上に設けられ、指でタッチされた位置を検出するタッチスクリーン１２と、ユーザが入力した設定値を認識する設定認識部とを備え、設定認識部は、表示部１１に所定の座標を表示し、タッチスクリーン１２にタッチした指によって座標上に描かれた線グラフを表示すると共に、該線グラフの示す値の集合を、ユーザの入力した設定値として取得する。【選択図】図１
2015140942.tif 000002
【特許請求の範囲】
【請求項１】
表示部と、
前記表示部の画面上に設けられ、指でタッチされた位置を検出するタッチスクリーンと、
ユーザが入力した設定値を認識する設定認識部と
を備え、
前記設定認識部は、前記表示部に所定の座標を表示し、前記タッチスクリーンにタッチした指によって前記座標上に描かれたグラフの示す値の集合を、所定の装置の動作を制御するための設定値として取得する
ことを特徴とする設定入力装置。
【請求項２】
前記設定認識部は、前記座標として第１パラメータに対応する第１軸と第２パラメータに対応する第２軸とを有する座標を表示し、前記タッチスクリーンにタッチした指によって前記座標上に描かれた線グラフの各点に対応する前記第１パラメータの値と前記第２パラメータの値の組み合わせの集合を、ユーザの入力した設定値として取得する
ことを特徴とする請求項１に記載の設定入力装置。
【請求項３】
前記第１パラメータは、時間である
ことを特徴とする請求項２に記載の設定入力装置。
【請求項４】
前記設定認識部は、前記線グラフが描かれている部分は前記装置をＯＮにする設定であると認識し、前記線グラフが描かれていない部分は前記装置をＯＦＦにする設定であると認識する
ことを特徴とする請求項３に記載の設定入力装置。
【請求項５】
前記設定認識部は、前記第２軸に、第３パラメータをさらに割り当てた座標を表示し、前記座標上に描かれた第１の線グラフについては、該第１の線グラフの各点に対応する前記第１パラメータの値と前記第２パラメータの値の組み合わせの集合をユーザの入力した設定値として取得し、前記座標上に描かれた第２の線グラフについては、該第２の線グラフの各点に対応する前記第１パラメータの値と前記第３パラメータの値の組み合わせの集合をユーザの入力した設定値として取得する
ことを特徴とする請求項２乃至４のいずれか１つに記載の設定入力装置。
【請求項６】
前記設定認識部は、前記第１パラメータの値が増加する向きに描かれた線グラフは前記第１の線グラフとして扱い、前記第１パラメータの値が減少する向きに描かれた線グラフは前記第２の線グラフとして扱う
ことを特徴とする請求項５に記載の設定入力装置。
【請求項７】
前記設定認識部は、表示中の線グラフ上の任意の第１点が指でタッチされて指定された後、前記第１点を第２点に移動させる操作を受けた場合に、前記線グラフ上の前記第１点が前記第２点に移動するように、前記第１点およびその周辺の線グラフを変形させる
ことを特徴とする請求項２乃至６のいずれか１つに記載の設定入力装置。
【請求項８】
前記設定認識部は、前記第１点に加えて前記線グラフ上の任意の第３点が指でタッチされて指定された後、前記第１点を前記第２点に移動させる操作を受けた場合は、前記第３点を固定させたまま、前記線グラフ上の前記第１点が前記第２点に移動するように、前記第１点およびその周辺の線グラフを変形させる
ことを特徴とする請求項７に記載の設定入力装置。
【請求項９】
前記設定認識部は、前記第１点を間に挟む前記線グラフ上の任意の第４点と第５点が指でタッチされて指定された状態で、前記第１点を前記第２点に移動させる操作を受けた場合は、前記第４点と前記第５点を固定させたまま、前記線グラフ上の前記第１点が前記第２点に移動するように、前記第４点と前記第５点の間の線グラフを変形させる
ことを特徴とする請求項７に記載の設定入力装置。
【請求項１０】
前記設定認識部は、前記第１点にタッチしている指がタッチした状態のまま移動された移動先を前記第２点であると認識する
ことを特徴とする請求項７乃至９のいずれか１つに記載の設定入力装置。
【請求項１１】
前記設定認識部は、前記座標の軸上の任意の第６点が指でタッチされて指定された後、前記軸上の任意の第７点が指定された場合に、前記座標の原点と前記第６点との間が前記原点と前記第７点との間に対応するように前記軸のスケールを変更し、該スケールの変更に応じて前記座標上の線グラフを変形する
ことを特徴とする請求項２乃至１０のいずれか１つに記載の設定入力装置。
【請求項１２】
前記設定認識部は、前記第６点をタッチしている指がタッチした状態のまま移動された移動先を前記第７点であると認識する
ことを特徴とする請求項１１に記載の設定入力装置。
【請求項１３】
前記設定認識部は、前記線グラフが示す設定内容に従って前記装置を稼動させた場合のエネルギー消費量を算出して表示する
ことを特徴とする請求項２乃至１２のいずれか１つに記載の設定入力装置。
【請求項１４】
前記座標の第１軸は、環をなしてその一回りを一周期とし、
前記環の内外方向に前記座標の前記第２軸を有する
ことを特徴とする請求項２乃至１３のいずれか１つに記載の設定入力装置。
【請求項１５】
前記線グラフを描くための操作は、前記第１軸に設定したサンプリング箇所のそれぞれで、前記線グラフ上となる点を指でタッチして指定する操作である
ことを特徴とする請求項２乃至１４のいずれか１つに記載の設定入力装置。
【請求項１６】
前記設定認識部は、前記線グラフに代えて、前記第１軸上の所定間隔毎に設定したサンプリング箇所に、棒グラフを表示する
ことを特徴とする請求項２乃至１５のいずれか１つに記載の設定入力装置。
【請求項１７】
前記設定認識部は、前記線グラフを描く指がいずれかの前記サンプリング箇所で停止したとき、該サンプリング箇所に表示する前記棒グラフの長さを、前記停止している間、最小から最大範囲で順に変化させ、前記指が移動を再開して前記線グラフの続きが描かれ始めたら、前記サンプリング箇所に表示する前記棒グラフの長さを前記移動が再開する直前の長さに確定する
ことを特徴とする請求項１６に記載の設定入力装置。
【請求項１８】
前記設定認識部は、表示中の棒グラフに指でタッチされると共に、この指の移動先の位置が指定されたら、前記指の移動先の前記第１軸上の位置に前記棒グラフの位置を変更すると共に、前記指の移動先の前記第２軸上の位置に応じて前記棒グラフの長さを変更する
ことを特徴とする請求項１６または１７に記載の設定入力装置。
【請求項１９】
前記設定認識部は、表示中の第１の棒グラフと第２の棒グラフに指でタッチされると共に、前記第１の棒グラフにタッチしている指の移動先が指定されたら、前記指の移動先の前記第１軸上の位置に前記第１の棒グラフの位置を変更しかつ前記指の移動先の前記第２軸上の位置に応じて前記第１の棒グラフの長さを変更すると共に、前記位置および長さを変更する前の前記第１の棒グラフと前記第２の棒グラフの間の領域を、位置および長さを変更した後の前記第１の棒グラフと前記第２の棒グラフの間へ写像するようにして、位置および長さを変更する前の前記第１の棒グラフと前記第２の棒グラフの間にあるすべての棒グラフの位置と長さを変更する
ことを特徴とする請求項１６乃至１８のいずれか１つに記載の設定入力装置。
【発明の詳細な説明】
【技術分野】
【０００１】
本発明は、ユーザから温度や風速など各種のパラメータに関する設定操作を受ける設定入力装置に関する。
【背景技術】
【０００２】
空調装置や暖房装置などの動作は、ユーザが設定した温度や風量などの設定値に従って制御される。また、エアコンなどは、予め設定した時間に運転を開始させたり停止させたりすることができる。
【０００３】
通常、エアコンなどでは、運転時間に関する設定と、温度や風量など運転中の制御パラメータに関する設定は別々に行われる。運転時間については、おはようタイマー、お休みタイマーなど複数種類の設定が可能であっても、温度や風量などの設定は一種類しかできない場合が多い。
【０００４】
しかし、空調装置や暖房装置などでは、時刻毎に温度や風量などを自在に設定できることが望まれる。たとえば、就寝前は、寝付きを良くするためにやや低めの温度に部屋を暖房しておきたいが、朝起きるときには、十分暖かい温度にしたい、といった要求がある。
【０００５】
下記特許文献１には、農作物を栽培するためのハウス内の温度を制御する温度制御装置であって、２４時間分の時刻毎の温度を容易に設定することのできる温度制御装置が開示されている。この温度制御装置では、操作パネルの表示部に、横軸を時間（０〜２４時）、縦軸を温度とした座標を表示し、該座標上に、予め記憶されている温度特性を折れ線グラフで表示する。この座標には、縦線状の時刻カーソルが表示されており、ユーザは、時刻カーソルの位置を所定の操作釦を操作して左右に移動させることができる。時刻が指定されると、時刻カーソルと折れ線グラフとの交点上に温度カーソルが表示される。ユーザは、温度設定用の操作釦を操作して温度カーソルを上下させることで、指定した時刻の設定温度を自在に変更することができるようになっている。
【先行技術文献】
【特許文献】
【０００６】
【特許文献１】特開２００９−２６８４２７号公報
【発明の概要】
【発明が解決しようとする課題】
【０００７】
特許文献１に開示の温度制御装置では、折れ線グラフを見ながら２４時間分の各時刻の温度を設定変更できるが、希望の時刻の温度を変更するためには、まず、操作釦を操作して時刻カーソルを希望の時刻の位置に移動させた後、別の操作釦を操作してその時刻の設定温度を変更しなければならず、操作が煩雑であった。また、予め登録されている折れ線グラフに対する変更操作しかできないので、これと大きく異なる温度特性を設定するには、多くの手間を要する。
【０００８】
なお、時刻毎に設定値を変えたい制御パラメータは温湿度や風量、風速、風向に限定されない。たとえば、留守中に部屋の照明のＯＮ／ＯＦＦや明るさやＴＶを見ているがごとく見えるように色温度を何度も変化させたい、といった要請などもある。さらには、時刻を含まない２つのパラメータ（たとえば、温度と風量）に関する特性を容易に設定したいといった要請もある。
【０００９】
本発明は、上記の問題を解決しようとするものであり、装置のＯＮ／ＯＦＦや温度を時刻毎に設定する等の複雑な設定を容易に行うことのできる設定入力装置を提供することを目的としている。
【課題を解決するための手段】
【００１０】
かかる目的を達成するための本発明の要旨とするところは、次の各項の発明に存する。
【００１１】
［１］表示部と、
前記表示部の画面上に設けられ、指でタッチされた位置を検出するタッチスクリーンと、
ユーザが入力した設定値を認識する設定認識部と
を備え、
前記設定認識部は、前記表示部に所定の座標を表示し、前記タッチスクリーンにタッチした指によって前記座標上に描かれたグラフの示す値の集合を、所定の装置の動作を制御するための設定値として取得する
ことを特徴とする設定入力装置。
【００１２】
上記発明では、表示部に表示された座標上に指でグラフを描くと、そのグラフの示す値の集合が、所定の装置の動作を制御するための、ユーザの入力した設定値として取得される。１つのグラフを描くだけで、多数の設定値を容易に設定することができる。
【００１３】
［２］前記設定認識部は、前記座標として第１パラメータに対応する第１軸と第２パラメータに対応する第２軸とを有する座標を表示し、前記タッチスクリーンにタッチした指によって前記座標上に描かれた線グラフの各点に対応する前記第１パラメータの値と前記第２パラメータの値の組み合わせの集合を、ユーザの入力した設定値として取得する
ことを特徴とする［１］に記載の設定入力装置。
【００１４】
上記発明では、第１パラメータに対応する第１軸と第２パラメータに対応する第２軸とを有する座標を表示し、該座標上に描かれた線グラフの各点に対応する値の組み合わせの集合が、ユーザの入力した設定値として取得される。
【００１５】
［３］前記第１パラメータは、時間である
ことを特徴とする［２］に記載の設定入力装置。
【００１６】
［４］前記設定認識部は、前記線グラフが描かれている部分は前記装置をＯＮにする設定であると認識し、前記線グラフが描かれていない部分は前記装置をＯＦＦにする設定であると認識する
ことを特徴とする［３］に記載の設定入力装置。
【００１７】
上記発明では、第２軸に与えたパラメータとは別に、時間毎のＯＮ／ＯＦＦ設定を容易に行うことができる。
【００１８】
［５］前記設定認識部は、前記第２軸に、第３パラメータをさらに割り当てた座標を表示し、前記座標上に描かれた第１の線グラフについては、該第１の線グラフの各点に対応する前記第１パラメータの値と前記第２パラメータの値の組み合わせの集合をユーザの入力した設定値として取得し、前記座標上に描かれた第２の線グラフについては、該第２の線グラフの各点に対応する前記第１パラメータの値と前記第３パラメータの値の組み合わせの集合をユーザの入力した設定値として取得する
ことを特徴とする［２］乃至［４］のいずれか１つに記載の設定入力装置。
【００１９】
上記発明では、１つの座標上で、第１パラメータ対第２パラメータの特性を示す第１の線グラフと第１パラメータ対第３パラメータの特性を示す第２の線グラフを描いて、これら２つの特性を視覚的に確認しながら設定することができる。
【００２０】
［６］前記設定認識部は、前記第１パラメータの値が増加する向きに描かれた線グラフは前記第１の線グラフとして扱い、前記第１パラメータの値が減少する向きに描かれた線グラフは前記第２の線グラフとして扱う
ことを特徴とする［５］に記載の設定入力装置。
【００２１】
上記発明では、線グラフを描く向きによって、第１の線グラフの入力と第２の線グラフの入力を切り替えることができる。
【００２２】
［７］前記設定認識部は、表示中の線グラフ上の任意の第１点が指でタッチされて指定された後、前記第１点を第２点に移動させる操作を受けた場合に、前記線グラフ上の前記第１点が前記第２点に移動するように、前記第１点およびその周辺の線グラフを変形させる
ことを特徴とする［２］乃至［６］のいずれか１つに記載の設定入力装置。
【００２３】
上記発明では、線グラフ上の第１点を任意の第２点に移動させる修正を行うことができる。第２点は第１点と別の指で指定されてもよいし、下記［１０］のように、第１点にタッチした指をタッチしたまま移動させた移動先を第２点としてもよい。
【００２４】
［８］前記設定認識部は、前記第１点に加えて前記線グラフ上の任意の第３点が指でタッチされて指定された後、前記第１点を前記第２点に移動させる操作を受けた場合は、前記第３点を固定させたまま、前記線グラフ上の前記第１点が前記第２点に移動するように、前記第１点およびその周辺の線グラフを変形させる
ことを特徴とする［７］に記載の設定入力装置。
【００２５】
上記発明では、線グラフ上の第３点を固定した状態で、線グラフ上の第１点を任意の第２点に移動させる修正を行うことができる。
【００２６】
［９］前記設定認識部は、前記第１点を間に挟む前記線グラフ上の任意の第４点と第５点が指でタッチされて指定された状態で、前記第１点を前記第２点に移動させる操作を受けた場合は、前記第４点と前記第５点を固定させたまま、前記線グラフ上の前記第１点が前記第２点に移動するように、前記第４点と前記第５点の間の線グラフを変形させる
ことを特徴とする［７］に記載の設定入力装置。
【００２７】
上記発明では、線グラフ上の第４点と第５点を固定した状態で、第４点と第５点の間にある線グラフ上の第１点を任意の第２点に移動させる修正を行うことができる。
【００２８】
［１０］前記設定認識部は、前記第１点にタッチしている指がタッチした状態のまま移動された移動先を前記第２点であると認識する
ことを特徴とする［７］乃至［９］のいずれか１つに記載の設定入力装置。
【００２９】
［１１］前記設定認識部は、前記座標の軸上の任意の第６点が指でタッチされて指定された後、前記軸上の任意の第７点が指定された場合に、前記座標の原点と前記第６点との間が前記原点と前記第７点との間に対応するように前記軸のスケールを変更し、該スケールの変更に応じて前記座標上の線グラフを変形する
ことを特徴とする［２］乃至［１０］のいずれか１つに記載の設定入力装置。
【００３０】
上記発明では、座標の軸のスケールを変更する修正を行うことができる。スケールを修正すると、該スケールの変更に応じて座標上の線グラフも変形される。第７点は第６点と別の指で指定されてもよいし、下記［１２］のように、第６点にタッチした指をタッチしたまま移動させた移動先を第７点としてもよい。
【００３１】
［１２］前記設定認識部は、前記第６点をタッチしている指がタッチした状態のまま移動された移動先を前記第７点であると認識する
ことを特徴とする［１１］に記載の設定入力装置。
【００３２】
［１３］前記設定認識部は、前記線グラフが示す設定内容に従って前記装置を稼動させた場合のエネルギー消費量を算出して表示する
ことを特徴とする［２］乃至［１２］のいずれか１つに記載の設定入力装置。
【００３３】
上記発明では、ユーザは、算出されたエネルギー消費量を見ながら、線グラフを修正することができる。
【００３４】
［１４］前記座標の第１軸は、環をなしてその一回りを一周期とし、
前記環の内外方向に前記座標の前記第２軸を有する
ことを特徴とする［２］乃至［１３］のいずれか１つに記載の設定入力装置。
【００３５】
上記発明では、環状の座標上で線グラフが入力される。たとえば、２４時間分の時間を第１軸に割り当てる場合に第１軸を環状にすれば、アナログ時計の文字板のような座標を表示することができる。
【００３６】
［１５］前記線グラフを描くための操作は、前記第１軸に設定したサンプリング箇所のそれぞれで、前記線グラフ上となる点を指でタッチして指定する操作である
ことを特徴とする［２］乃至［１４］のいずれか１つに記載の設定入力装置。
【００３７】
上記発明では、離散的な点を複数指定することで線グラフを描くことができる。サンプリング間隔が広い場合に有効なユーザＩ／Ｆとなる。
【００３８】
［１６］前記設定認識部は、前記線グラフに代えて、前記第１軸上の所定間隔毎に設定したサンプリング箇所に、棒グラフを表示する
ことを特徴とする［２］乃至［１５］のいずれか１つに記載の設定入力装置。
【００３９】
上記発明では、線グラフを表示し難い場合や、サンプリング箇所での設定値のみを表示すれば足りるような場合に有効な表示である。
【００４０】
［１７］前記設定認識部は、前記線グラフを描く指がいずれかの前記サンプリング箇所で停止したとき、該サンプリング箇所に表示する前記棒グラフの長さを、前記停止している間、最小から最大範囲で順に変化させ、前記指が移動を再開して前記線グラフの続きが描かれ始めたら、前記サンプリング箇所に表示する前記棒グラフの長さを前記移動が再開する直前の長さに確定する
ことを特徴とする［１６］に記載の設定入力装置。
【００４１】
上記発明では、線グラフを描くことでサンプリング箇所に棒グラフが表示されるユーザＩ／Ｆにおいて、線グラフを描く途中で棒グラフの長さを修正することができる。
【００４２】
［１８］前記設定認識部は、表示中の棒グラフに指でタッチされると共に、この指の移動先が指定されたら、前記指の移動先の前記第１軸上の位置に前記棒グラフの位置を変更すると共に、前記指の移動先の前記第２軸上の位置に応じて前記棒グラフの長さを変更する
ことを特徴とする［１６］または［１７］に記載の設定入力装置。
【００４３】
上記発明では、既に表示されている棒グラフの位置や長さを修正することができる。
【００４４】
［１９］前記設定認識部は、表示中の第１の棒グラフと第２の棒グラフに指でタッチされると共に、前記第１の棒グラフにタッチしている指の移動先が指定されたら、前記指の移動先の前記第１軸上の位置に前記第１の棒グラフの位置を変更しかつ前記指の移動先の前記第２軸上の位置に応じて前記第１の棒グラフの長さを変更すると共に、前記位置および長さを変更する前の前記第１の棒グラフと前記第２の棒グラフの間の領域を、位置および長さを変更した後の前記第１の棒グラフと前記第２の棒グラフの間へ写像するようにして、位置および長さを変更する前の前記第１の棒グラフと前記第２の棒グラフの間にあるすべての棒グラフの位置と長さを変更する
ことを特徴とする［１６］乃至［１８］のいずれか１つに記載の設定入力装置。
【００４５】
上記発明では、既に表示されている第１の棒グラフと第２の棒グラフの間の領域が、第１の棒グラフの移動先と第２の棒グラフとの間に写像されるように、第１の棒グラフと第２の棒グラフの間の領域を拡大／縮小することができる。
【発明の効果】
【００４６】
本発明に係る設定入力装置によれば、表示された座標上に指でグラフを描くだけで、装置のＯＮ／ＯＦＦや温度等を時刻毎に設定する等の複雑な設定を容易に行うことができる。
【図面の簡単な説明】
【００４７】
【図１】本発明の実施の形態に係る設定入力装置の一例を示す正面図である。
【図２】本発明の実施の形態に係る設定入力装置の電気的な概略構成を示すブロック図である。
【図３】本発明の実施の形態に係る設定入力装置がエアコンのリモコンである場合の一例を示している。
【図４】本発明の実施の形態に係る設定入力装置が座標上に描かれた線グラフから取得する設定値群の一例を示す図である。
【図５】本発明の実施の形態に係る設定入力装置が、ミストサウナ機能付き浴室暖房乾燥機のリモコンである場合の一例を示す図である。
【図６】直線で線グラフが入力される例を示す図である。
【図７】固定点なしの修正操作を示す図である。
【図８】１箇所を固定点とする修正操作を示す図である。
【図９】２箇所を固定点とする修正操作を示す図である。
【図１０】１つの固定点を指定する方法で線グラフを変形させた場合の一例を示す図である。
【図１１】図１０に対して、変形後の線グラフが元の点を通るように修正した場合を示す図である。
【図１２】時間軸のスケールを変更する操作の一例を示す図である。
【図１３】時間軸のスケールを変更する操作の他の一例を示す図である。
【図１４】本発明の実施の形態に係る設定入力装置が線グラフの入力を受ける際に行う処理を示す流れ図である。
【図１５】本発明の実施の形態に係る設定入力装置が線グラフの修正を受ける場合に行う処理を示す流れ図である。
【図１６】照明を制御対象とした設定入力装置の画面の一例を示す図である。
【図１７】照明を制御対象とした設定入力装置の画面の他の一例を示す図である。
【図１８】複数の部屋の照明、あるいは、複数の部屋の空調装置を１台の設定入力装置で制御する場合の一例を示す図である。
【図１９】消費エネルギー量、光熱費を表示した例を示す図である。
【図２０】本発明の実施の形態に係る設定入力装置が１日の床暖房の運転に関する設定を受ける場合の画面および入力操作の例を示す図である。
【図２１】手書きの軌跡の入力中に、表示された棒グラフの長さを修正する操作を示す図である。
【図２２】棒グラフの位置および長さを修正する操作を示す図である。
【図２３】棒グラフの位置および長さを修正する操作の他の例を示す図である。
【発明を実施するための形態】
【００４８】
以下、図面に基づき本発明の実施の形態を説明する。
【００４９】
図１は、本発明の実施の形態に係る設定入力装置１０の一例を示す正面図である。設定入力装置１０は、ハウス栽培用温湿度コントローラ（天井開閉、ＣＯ濃度監視付き）、エアコン、暖房装置（含む電気式又は温水式床暖房装置、含む畜産用）、照明装置（含む水族館用水槽ディスプレイ）などの装置の稼動条件を設定する機能を備えた、所謂、リモコンや操作パネルを成している。
【００５０】
設定入力装置１０は、液晶ディスプレイなどで構成された表示部１１を備えると共に、該表示部１１の画面上に、指やペンなどでタッチされた箇所を検出する機能を果たすタッチスクリーン１２を有している。
【００５１】
設定入力装置１０は、表示部１１の画面上に所定の座標を表示する。ユーザは、表示された座標上にグラフを描くことで各種のパラメータに関する設定を行うことができる。たとえば、横軸のパラメータを時間、縦軸のパラメータを温度とする座標上に、指で線グラフを描くことで、１日の中の各時刻における設定温度を設定することができる。
【００５２】
図１に示す設定入力装置１０では、表示部１１の下方に、装置の運転・停止を切り替える操作釦である運転釦、座標上のグラフで設定するパラメータを選択する項目選択釦、直前の操作を取り消すための戻る釦、設定を確定させるＯＫ釦、設定を破棄するためのキャンセル釦などを備えている。
【００５３】
図２は、設定入力装置１０の電気的な概略構成を示すブロック図である。設定入力装置１０は、当該設定入力装置１０の動作を統括制御する制御部としてのＣＰＵ１３に、表示部１１が配下に接続された表示コントローラ１４と、操作部１５と、通信部１６と、メモリ１７と、ＲＯＭ（Read Only Memory）１８等を接続して構成される。なお、ネットワークに接続される場合には、ＣＰＵ、メモリ１７と、ＲＯＭ（Read Only Memory）１８等はサーバー側にあってもかまわない。
【００５４】
表示部１１は、液晶ディスプレイなどの表示デバイスで構成される。表示コントローラ１４は、各種の制御信号や表示データを表示部１１に与えてその表示内容の書き換え等を制御する。実際の表示内容となる画面のデータはＣＰＵ１３が作成する。操作部１５は、表示部１１の画面上に設けられ、指やペンなどによって押下された位置を検出するタッチスクリーン１２のほか、前述したような各種の操作釦などで構成される。
【００５５】
タッチスクリーン１２の検知方式は、静電容量、アナログ/デジタル抵抗膜、赤外線、超音波、電磁誘導等、任意でよい。
【００５６】
通信部１６は、無線通信や有線通信により制御対象の装置本体と通信する機能を果たす。たとえば、ユーザからの操作で設定された稼動条件を示す情報等を装置本体に送信する。
【００５７】
ＲＯＭ１８には、各種プログラムやデータが格納され、これらのプログラムに従ってＣＰＵ１３が各種の処理を実行することで設定入力装置１０としての各機能が実現される。メモリ１７はＣＰＵ１３がプログラムを実行する際に各種のデータを一時的に格納するワークメモリや表示データを一時記憶するメモリとして使用される。
【００５８】
次に、設定入力装置１０がユーザから受ける各種の設定操作について説明する。
【００５９】
図３は、設定入力装置１０がエアコンのリモコンである場合の一例を示している。図３では、表示部１１のみを示してある。表示部１１の画面上には、横軸のパラメータとして時刻を割り当て、縦軸に温度と風量のパラメータを割り当てた座標２０が表示される。ユーザがこの座標２０上に、左から右に指で線グラフ２１を描くと、設定入力装置１０は、この線グラフ２１を時刻と温度との関係を示す線グラフであると認識する。一方、ユーザが右から左に指で線グラフ２２を描くと、設定入力装置１０は、この線グラフ２２を時刻と風量との関係を示す線グラフであると認識する。
【００６０】
このように、線グラフを描くだけで、各時刻における温度や風量を設定することができるので、きわめて簡易な操作で時刻毎の温度や風量を変化させた複雑な設定を行うことができる。また線グラフを描く向きによって、設定するパラメータを切り替えることができるので、ユーザは、設定対象のパラメータを別途のスイッチ等で選択する必要がなく、高い操作性が確保される。
【００６１】
図３では、線グラフ２１、２２の描かれていない時刻については、エアコンをＯＦＦにする設定となる。
【００６２】
図４は、設定入力装置１０が座標上に描かれた線グラフから取得する設定値の集合の一例を示している。座標は、図３の場合と同様に、横軸に時刻が、縦軸に温度と風量のパラメータが割り当てられているものとする。図４の例では、座標上の線グラフを１０分間隔でサンプリングした各点に対応する設定値（時間と温度と風量の組み合わせ）が取得されて一覧にされている。このように各線グラフから、該線グラフ上の各点に対応する設定値の集合が取得される。なお、図４において温度や風量の値が「−」となっている箇所は、装置をＯＦＦにする設定である。
【００６３】
図５は、設定入力装置１０が、ミストサウナ機能付き浴室暖房乾燥機のリモコンである場合の一例を示している。ミストサウナ機能付き浴室暖房乾燥機は、浴室内にミスト（霧状の水）を散布する機能、浴室内を温風で暖める機能を備えている。ここでは、設定入力装置１０は、運転開始（０分）から３０分後までのミストの強弱および温風で暖める際の温度を線グラフで設定することができる。
【００６４】
たとえば、最初はテレビを見ながら入浴したいのでミストを弱くしておき（強くすると濃い霧のようになってテレビが見えなくなるので）、１５分後からミストを次第に強くしかつ温度を徐々に上げ、２３分後からはミストを最強に、かつ温度も十分に高くして多量に発汗する状態にしたいとユーザが望むものとする。
【００６５】
従来のリモコンには、ミストの強弱を設定するスイッチ、温風で暖める際の目標温度を設定するスイッチが設けてあり、入浴中にミストの強弱や温度をユーザが自分で随時変更するようになっている。そのため、上記のような複雑な設定をユーザが望む場合、その時々で、ユーザがミストの強さや温度を調整する操作を行わなければならなかった。
【００６６】
これに対して、設定入力装置１０では、表示部１１に表示された座標３０上に、ユーザが、ミストの強弱と時間の関係を示す線グラフ３１と、温度と時間の関係を示す線グラフ３２をそれぞれ指で手書き入力するだけで、その複雑な設定をプログラムすることができる。設定入力装置１０は、左から右に向かって描かれた線グラフはミストの強弱と時間の関係を示す線グラフ３１であると認識し、右から左に向かって描かれた線グラフは温度と時間の関係を示す線グラフ３２であると認識する。
【００６７】
なお、図６に示すように、直線で線グラフ３１、３２は入力されてもよい。また、線グラフ３１が描かれていない時間帯はミスト機能をＯＦＦする設定となり、線グラフ３２が描かれていない時間帯は温風の送出をＯＦＦする設定となる。図６に示すように、線グラフ３１、３２を断続的に描くことで、複数回ＯＮ／ＯＦＦする断続的な運転を設定（プログラム）することができる。
【００６８】
次に、既に表示されている線グラフを修正する場合の操作について説明する。
【００６９】
線グラフの修正には、以下に示す複数種類の修正方法がある。
【００７０】
（１）固定点を指定しない方法
図７に示すように、線グラフ２１上の任意の点４１を指でタッチし、タッチしたままその指を移動させる。これにより、移動先の点４２を通るように、元の線グラフ２１が線グラフ２１ｂのように変形する。この場合、タッチされた箇所の近傍において元の線グラフ２１が変形される。なお、タッチされた箇所に連続している線グラフ２１の両端が固定点にされ、その間が滑らかに変形されてもよい。変形には既知の適宜の関数を適用すればよい。
【００７１】
（２）１つの固定点を指定する方法
図８に示すように、線グラフ２１上の任意の点４３を指でタッチしたまま移動させずに固定し、もう１つの指で線グラフ２１上の任意の点４１をタッチし、タッチしたままこの指を移動させる。これにより、点４３の箇所が固定されたまま、移動先の点４２を通るように、元の線グラフ２１が線グラフ２１ｃのように変形する。任意の点４１の近傍であって固定点４３を越えない範囲の線グラフ２１が変形される。固定点４３と、該固定点４３に対して点４１側の線グラフ２１の端部が固定点にされ、その間の線グラフが点４２を通るように滑らかに変形されてもよい。
【００７２】
なお、点４１と点４３はいずれが先にタッチされても、同時にタッチされてもよい。２点がタッチされた後に先に移動を開始した方が移動側、他方が固定点として認識される。
【００７３】
（３）２つの固定点を指定する方法
図９に示すように、線グラフ２１上の任意の点４３と点４４を指でタッチしたまま移動させずに固定し、もう１つの指で点４３と点４４の間の線グラフ２１上の任意の点４１をタッチし、タッチしたままこの指を移動させる。これにより、点４３と点４４の２箇所が固定されたまま、移動先の点４２を通るように、元の線グラフ２１のうちの点４３と点４４の間の部分が変形して線グラフ２１ｄのようになる。
【００７４】
（４）その他
消しゴムの設定を行って、線グラフを指でなぞると、その部分の線グラフが消去される。その消去した部分に新たに線グラフを描くことで、線グラフを変形させることができる。
【００７５】
なお、図７から図９では、点４１にタッチした指をタッチしたまま移動させて点４２を指定するようにしたが、別の指で新たに点４２を指定してもよい。たとえば、線グラフ２１上にない箇所が指でタッチされたら、その箇所を点４１の移動先（点４２）と認識するようなユーザＩ／Ｆ（Interface）でもかまわない。
【００７６】
図１０は、１つの固定点を指定する方法で線グラフを変形させた場合の一例を示している。元の線グラフ５０上の点５１を固定点とし、点５２に指でタッチし、この指を上方の点５３へ移動させた（温度を２０から２５へ上昇させた）場合の例を示している。この操作により元の線グラフ５０が変形されて、破線で示す線グラフ５４のようになる。該変形は、重み付けした移動平均によって求めたものである。
【００７７】
点５２から点５３へ温度を上昇させる操作を行ったにもかかわらず、元の線グラフ５０上の点５５に対応する変形後の点５６は下がっている。そこで、点５６については、変形前の値を採用するように修正する。図１１は、変形後の線グラフ５４が点５５を通るように修正したものである。このような修正を加えることで、ユーザの修正意図に反しないように適切に線グラフを変形させることができる。
【００７８】
次に、座標のスケールを修正する場合について説明する。
【００７９】
たとえば、図５に示すように３０分間の入浴におけるミストの強弱と温度の変化パターン（線グラフ）をプログラムしてあるとする。しかし、時間に余裕がない日には、いつもと同じような変化パターンの入浴を、より短時間で行いたいといったケースが生じる。また逆に、いつもと同じ変化パターンの入浴をいつもより時間をかけてゆっくり行いたいと希望する場合もある。このような場合には、既に登録してある変化パターン（線グラフ）を呼び出して表示し、座標の時間軸のスケールを変更することで、同じような変化パターンを時間の進み具合だけを変更して設定することが可能になる。
【００８０】
図１２、図１３は、時間軸のスケールを変更する場合の一例を示している。図１２（ａ）の例では、３０分の目盛りの近く（点６１）を指でタッチし、タッチしたままその指を１５分の目盛りの近く（点６２）に移動させて離すという操作が行われている。この操作を受けると、同図（ｂ）に示すように、設定入力装置１０は、３０分の目盛りが点６２の位置に来るように、時間軸のスケールを変更する。すなわち、元の１５分の目盛りの位置に３０分の目盛りが、元の３０分の目盛りの位置に６０分の目盛りが来るように、時間軸を２分の１に縮小する。また、設定入力装置１０は、時間軸のスケールの変更にあわせて線グラフ３１、３２を変形させる。
【００８１】
図１３（ａ）の例では、１５分の目盛りの近く（点６３）を指でタッチし、タッチしたままその指を３０分の目盛りの近く（点６４）に移動させて離すという操作が行われている。この操作を受けると、同図（ｂ）に示すように、設定入力装置１０は、１５分の目盛りが点６４の位置に来るように、時間軸のスケールを変更する。すなわち、元の３０分の目盛りの位置に１５分の目盛りが来るように、時間軸を２倍に伸ばす。また、設定入力装置１０は、時間軸のスケールの変更にあわせて線グラフを変形させる。
【００８２】
このように設定入力装置１０では、座標の軸上の任意の第１点が指でタッチされて指定された後、この指がタッチされたまま軸上の任意の第２点に移動されると、該座標の原点と第１点との間が原点と第２点との間に対応するように軸のスケールが変更されると共に、該スケールの変更に応じて座標上の線グラフも変形される。
【００８３】
図１２、図１３では、タッチした指の位置をタッチしたまま移動させることで、修正後の点を指定したが、移動先の点を、別途、指でタッチして指定するようなユーザＩ／Ｆでもかまわない。
【００８４】
図１４は、設定入力装置１０が線グラフの入力を受ける処理の流れを示している。まず、設定入力装置１０のＣＰＵ１３は、表示部１１の画面上に所定の座標を表示する（ステップＳ１０１）。ここでは、第１軸（横軸）は時間をパラメータとした時間軸とし、第２軸（縦軸）に第２パラメータ（たとえば温度）と第３パラメータ（たとえば風量）を割り当てた座標を表示するものとする。
【００８５】
該座標を表示した状態で、設定入力装置１０は、該座標上に指で線グラフが手書きされるのを待つ（ステップＳ１０２；Ｎｏ）。線グラフが手書きされたら（ステップＳ１０２；Ｙｅｓ）、その線グラフが右から左に描かれたか、左から右に向けて描かれたかを判定する（ステップＳ１０３）。右向きに描かれた場合は（ステップＳ１０３；Ｙｅｓ）、この線グラフは第２パラメータに関する線グラフであると認識して（ステップＳ１０４）、ステップＳ１０６へ移行する。左向きに描かれた場合は（ステップＳ１０３；Ｎｏ）、この線グラフは第３パラメータに関する線グラフであると認識して（ステップＳ１０５）、ステップＳ１０６へ移行する。
【００８６】
線グラフの入力を完了した旨の操作（たとえば、図１のＯＫ釦の操作）を受けると（ステップＳ１０６；Ｙｅｓ）、各線グラフから、時刻毎の設定値を取り込む（ステップＳ１０７）。たとえば、取り込むサンプリング周期を１０分に設定している場合、図４に示すような設定値の集合の一覧が作成される。設定値を取り込む周期は、１０分に限定されず、任意でよい。
【００８７】
その後、ステップＳ１０７で取得した設定値を制御対象の装置本体に送信して（ステップＳ１０８）、本処理を終了する（エンド）。
【００８８】
図１５は、線グラフの修正を受ける場合の設定入力装置１０の動作を示す流れ図である。線グラフ上の任意の箇所に指でタッチ操作を受けるのを待ち、線グラフ上に指でタッチ操作を受けたら（ステップＳ２０１；Ｙｅｓ）、そのタッチ位置を登録（２箇所目以降の場合は追加登録）して（ステップＳ２０２）、ステップＳ２０３へ移行する。新たなタッチ操作を受けなければ（ステップＳ２０１；Ｎｏ）、ステップＳ２０３へ移行する。
【００８９】
ステップＳ２０３では、いずれかのタッチ位置にタッチしている指がタッチしたまま移動したか否かを判定する（ステップＳ２０３）。タッチしている指が移動されたら（ステップＳ２０３；Ｙｅｓ）、何箇所タッチされているかを判断（ステップＳ２０２での登録数により判断）する（ステップＳ２０４）。
【００９０】
１箇所のみの場合は（ステップＳ２０４；１箇所）、指の移動先の点を通るように、図７に示すように、タッチ箇所の近傍の線グラフを変形させて（ステップＳ２０５）、ステップＳ２０９へ移行する。
【００９１】
タッチ箇所が２箇所の場合は（ステップＳ２０４；２箇所）、図８に示すような変形を行う。すなわち、タッチ位置が移動されていない方の指のタッチ位置を固定点とし、移動された方の指の移動先の点を通るように、固定点から、移動されたタッチ位置側の線グラフを変形させ（ステップＳ２０６）、ステップＳ２０９へ移行する。
【００９２】
タッチ箇所が３箇所の場合は（ステップＳ２０４；３箇所）、３箇所のうちの中間のタッチ位置が移動されたか否かを調べる（ステップＳ２０７）。中間のタッチ位置が移動されていない場合は（ステップＳ２０７；Ｎｏ）、間違った操作なので、たとえば、エラー音やエラーメッセージを表示して、本処理を終了する（エンド）。
【００９３】
中間のタッチ位置が移動された場合は（ステップＳ２０７；Ｙｅｓ）、図９に示すように、移動先の点を通るように、２箇所の固定点の間の線グラフを変形して（ステップＳ２０８）、ステップＳ２０９へ移行する。
【００９４】
ステップＳ２０９では、変形後の線グラフから、時刻毎の設定値を取り込む。そして、修正された設定値を制御対象の装置本体に送信して（ステップＳ２１０）、本処理を終了する（エンド）。
【００９５】
いずれかの指のタッチ位置が移動される前に（ステップＳ２０３；Ｎｏ）、指が離れた場合は（ステップＳ２１１；Ｙｅｓ）、修正操作でないと判断して本処理を終了する（エンド）。指が離れなければ（ステップＳ２１１；Ｎｏ）、ステップＳ２０１に戻って処理を継続する。
【００９６】
次に、設定入力装置１０が他の制御対象に関する設定を行う場合について説明する。
【００９７】
図１６は、照明を制御対象とする設定入力装置１０の画面の一例を示している。設定入力装置１０は、表示部１１に、横軸を時間（０時から２４時）、縦軸を照度およびＯＮ／ＯＦＦとする座標７０を表示する。横軸に沿った基準線７１より上の領域は照明をＯＮに設定するＯＮ領域７２、基準線７１より下の領域は照明をＯＦＦに設定するＯＦＦ領域７３である。ＯＮ領域７２においては線グラフ７４を上に描くほど照度が強く（明るく）設定される。
【００９８】
この設定入力装置１０では、１本の線グラフを座標上に描くことで、２４時間中の各時刻における照明のＯＮ／ＯＦＦおよび照度の強弱（明／暗）を設定することができる。
【００９９】
図１７は、照明を制御対象とする設定入力装置１０の画面の他の一例を示している。設定入力装置１０は、表示部１１に、横軸を時間（０時から２４時）、縦軸を照度とする座標７６を表示する。線グラフ７７を描いていない時間帯は照明をＯＦＦする設定となる。図１７では、直線の線グラフ７７を描いた例を示したが、線グラフは曲線であってもよい。
【０１００】
図１８（ａ）は、複数の部屋の照明を１台の設定入力装置１０で制御する場合の例を示している。座標７６は図１７と同様である。線グラフ７８ａは第１の部屋の照明に関する設定内容を示し、線グラフ７８ｂは第２の部屋の照明に関する設定内容を示す。
【０１０１】
複数の照明機器の明るさやＯＮ／ＯＦＦを時刻毎に制御することで、留守中にあたかも人が居るように見せかけることができる。なお、通常の在宅中の各時刻における照明のＯＮ／ＯＦＦや明るさを記憶しておき、その線グラフをデフォルトで表示し、ユーザから修正の操作を受けるようにしてもよい。
【０１０２】
図１８（ｂ）は、複数の部屋の空調装置の設定温度を１台の設定入力装置１０で制御する場合の例を示している。設定入力装置１０は、表示部１１に、横軸を時間（０時から２４時）、縦軸を温度とする座標８０を表示する。線グラフ８１ａは第１の部屋の空調装置に関する設定内容を示し、線グラフ８１ｂは第２の部屋の空調装置に関する設定内容を示す。
【０１０３】
図１８（ａ）、図１８（ｂ）では、線グラフの描かれていない時間帯は照明やエアコンなど制御対象の装置の稼動をＯＦＦにする設定になる。
【０１０４】
図１９は、空調と照明の設定が可能な設定入力装置１０の一例を示している。図１８（ａ）と同様の照明用の座標７６の上に図１８（ｂ）と同様の空調用の座標８０を重ねて表示してある。ここでは、空調、照明に関する１日分の運転内容を線グラフで設定すると、該設定に従って空調および照明を動作させた場合の消費エネルギーを算出し、その消費エネルギー量と、それに対応する光熱費をエネルギー表示欄８３に表示するようになっている。
【０１０５】
線グラフを修正すると、エネルギー表示欄８３に表示される消費エネルギー量および光熱費の値がリアルタイムで更新される。これにより、ユーザは、目標の消費エネルギー量や光熱費となるように、画面を見ながら、容易に設定・修正することができる。図１９の例では、照明と空調に関して設定する場合を例示したが、風呂・給湯、テレビやＰＣのＯＮ／ＯＦＦなど、対象エリアにあるすべての装置を対象に消費エネルギー量、光熱費を求めて表示するように構成されてもよい。
【０１０６】
次に、線グラフに代えて、棒グラフ（あるいは、これに相当する図柄）を表示する場合について説明する。
【０１０７】
図２０は、設定入力装置１０が、１日における床暖房の運転に関する設定を行う場合において表示部１１に表示される画面の一例を示している。
【０１０８】
座標９０は、第１軸である時間軸９１を環状としたものであり、その一回りを一周期（１日、２４時間）としている。また、環状の時間軸９１から環の内外方向に第２軸９２がある。ただし、第２軸は画面に表示されていない。ここでは、第２軸に対して運転の強弱を示すパラメータを割り当ててある。第２軸に割り当てたパラメータの値は、環状の時間軸９１の上で「０」（運転ＯＦＦ）となり、時間軸９１の環の接線に対して垂直に環の外方へ向かうほど、値が大きく（運転強）なる。環状の時間軸９１の中の時計領域９５には現在時刻が表示される。
【０１０９】
図２０（ｂ）に示すように、ユーザが、画面にタッチした指を、環状の時間軸９１の外側近傍を取り囲む線グラフを描くように移動させる（図中、矢印で指の移動の軌跡９３を示す）と、２時間毎のサンプリング箇所に、その箇所を通過したときの指の位置（第２軸方向の位置）に対応した長さの棒グラフ（ここでは、炎のような図柄）９４が表示される。なお、床暖房の場合、室温の変化は緩やかに生じるので、サンプリング間隔を２時間としてある。
【０１１０】
サンプリング箇所において指の軌跡９３が環状の時間軸９１から遠くを通るほど、そのサンプリング箇所に長い棒グラフ９４が表示される。サンプリング箇所に指の軌跡９３が描かれていない場合、および軌跡９３が環状の時間軸９１上（第２軸方向の値が「０」の位置）にある場合、さらには、時間軸９１内（第２軸方向の値が「マイナス」の位置）でも、そのサンプリング箇所ではＯＦＦの設定になる。
【０１１１】
図２０（ｃ）は、同図（ｂ）から指の軌跡９３を削除したものであって、実際に表示部１１に表示される画面の内容を示している。このように、環状の時間軸９１の周囲に指で環状の線グラフを描くことで、２時間毎の温度を設定することができる。なお、表示上のサンプリング間隔と制御上のサンプリング間隔を別にしてもよい。たとえば、図２０（ｃ）のように２時間毎に棒グラフ９４が表示されていても、実際には、軌跡９３に対応させて３０分間隔等任意の間隔で設定値（設定温度）を取得して制御するようにしてもよい。
【０１１２】
次に、指で軌跡を描きながら行う入力中の修正について説明する。
【０１１３】
図２１に示すように、４時の位置から指で軌跡９３を描き始め、サンプリング箇所である６時の位置で指の移動を一時停止させたとする。この場合、設定入力装置１０は、指の停止したサンプリング箇所に表示する棒グラフ９４の長さを、指の移動が停止している間、最小から最大範囲で順に変化させる。ユーザは、棒グラフ９４が希望の長さになったら指の移動を再開させる。設定入力装置１０は、指の移動が再開したら、該サンプリング箇所に表示する棒グラフ９４の長さを、移動が再開する直前の長さに確定する。
【０１１４】
図中、グレーの棒グラフは長さが確定したものを、白で縁が破線の棒グラフは長さが変化している状態を示している。図２１は、棒グラフ９４の長さが最大になったときに指の移動を再開させた場合を例示している。
【０１１５】
このように、サンプリング箇所で指の移動を一時停止させることで、その箇所に表示される棒グラフ９４の長さを修正することができるので、次のサンプリング箇所へ指を移動させる際にその移動先の位置（第２軸方向の位置）を間違えた場合でも、それを修正して、棒グラフの長さがユーザの意図する長さになるように容易に設定することができる。
【０１１６】
次に、図２０に示すような形式の座標において、既に表示されている棒グラフの長さ等を修正する場合の操作について説明する。
【０１１７】
図２２（ａ）は、修正操作における指の動き等を示している。ユーザは、１０時のサンプリング箇所にある棒グラフ９６をその上端近傍の点Ｆに指をタッチして固定させ、もう１つの指で６時の位置に表示されている棒グラフ９４ａ上の点Ｐ１にタッチし、タッチしたままその指を環状の時間軸９１の中心Ｑに向けて移動させ（点Ｐ２）、その後、指を点Ｐ２から点Ｐ３に移動させて指を離すといった修正操作を行う。
【０１１８】
この修正操作においてユーザは指を点Ｐ２から点Ｐ３に向けて（図中、角度θ´の方向に）移動させているが、時間軸９１は環状を成しているので、該指の移動は、時間軸９１上では、図中の角度θの移動となる。
【０１１９】
図２２（ｂ）は、図２２（ａ）に示す修正操作に応じて棒グラフの表示が変化する様子を示している。図２２（ａ）における点Ｐ１から点Ｐ２への指の移動は、６時のサンプリング箇所にある棒グラフ９４ａの長さを短くする指示である。また、点Ｐ２から点Ｐ３への移動は、棒グラフ９４ａの時間軸９１上の位置を角度θだけ右回りに移動させる指示である。
【０１２０】
点Ｆの指が固定された状態で上記の操作を受けると、設定入力装置１０は、点Ｐ１の位置にあった棒グラフ９４ａの長さを、点Ｐ１から点Ｐ２への第２軸上の移動量に応じて変化させる（ここでは短くする）。また、点Ｐ１の位置にあった棒グラフ９４ａの位置を、時間軸９１上で点Ｐ３の位置に移動させる。これにより、元々、６時のサンプリング箇所にあった棒グラフ９４ａは、図２２（ｂ）中の棒グラフ９４ａ´に変更される。
【０１２１】
さらに、位置および長さを変更する前の棒グラフ９４ａと時間軸９１上で固定点Ｆ（棒グラフ９６）との間にあった領域を、位置および長さを変更した後の棒グラフ９４ａ´と固定点Ｆの時間軸９１上の位置との間へ写像するようにして、時間軸９１上で、位置および長さを変更する前の棒グラフ９４ａと固定点Ｆとの間にあったすべての棒グラフの位置と長さを変更する。
【０１２２】
図２２の例では、８時のサンプリング箇所にあった棒グラフ９４ｂがその長さおよび時間軸９１上の位置が修正されて棒グラフ９４ｂ´に変更される。
【０１２３】
なお、点Ｐ１から点Ｐ３への指の移動は、図２２（ｂ）に示すものに限定されず、時間軸９１での移動を行ってから棒グラフの長さ方向（第２軸方向）の移動を行ってもよいし、これらを複合した直線状の移動（点Ｐ１から点Ｐ３に向かう直線的移動）であっても、あるいは、任意の曲線を描きながら点Ｐ１から点Ｐ３へ移動する指の動きであってもかまわない。
【０１２４】
図２３は、点Ｐ１を時間軸９１上で図２２（ｂ）の点Ｐ３と同じ点Ｐ４へ移動させた後、棒グラフの長さ方向（第２軸上）の位置が図２２（ｂ）の点Ｐ２と同じ点Ｐ５へ移動させた場合の指の動き方を示している。
【０１２５】
この場合、ユーザは指を点Ｐ１から点Ｐ４に向けて（図中、角度θ´´の方向）移動させているが、該指の移動は、時間軸９１上では、図中の角度θの移動となっている。上記の修正操作を行った場合の結果は、図２２（ｃ）に示すものと同一である。
【０１２６】
なお、図２２、図２３に示す修正操作では、固定点Ｆを指定する例を示したが、固定点Ｆを指定しない修正操作の方法もある。たとえば、図２２において固定点Ｆを指定せずに、点Ｐ１に指でタッチした後、その指を点Ｐ２、点Ｐ３へと移動させる操作を行った場合には、棒グラフ９４ａのみを棒グラフ９４ａ´となるように位置および長さを変化させればよい。すなわち、指の移動先の時間軸上の位置に棒グラフの位置を変更すると共に、指の移動先の第２軸上の位置に応じて棒グラフの長さを変更すればよい。
【０１２７】
このほか、図２２等に示すような環状の第１軸とその半径方向の第２軸を有する座標においても、図７から図９に示す修正、および、図１２、図１３に示すようなスケールの修正は同様に適用することができる。
【０１２８】
以上のように、本発明の実施の形態に係る設定入力装置１０では、表示部１１に表示した座標上にグラフを手書き入力することで、その座標の軸に与えた１または複数のパラメータ（２軸以上の場合には各軸に与えたパラメータの組み合わせ）について複雑な設定を容易に行うことができる。
【０１２９】
また、グラフを修正したり、スケールを修正したりできるので、既に描いたグラフが示す設定内容を容易に修正することができる。
【０１３０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３１】
実施の形態では、設定入力装置１０が空調装置やミストサウナ機能付き浴室暖房乾燥機などを制御対象とする場合を例に説明したが、制御対象はこれに限定されるものではない。たとえば、風呂給湯器を制御対象とし風呂の運転時間、湯温、水位などを設定する、あるいはペットに自動で餌を与える餌やり装置を制御対象としてその動作時間や与える餌の量を設定する、あるいは、植木に自動で水を与える水やり装置を制御対象とし、その動作時間や与える水の量を設定する、といった場合にも本発明を適用することができる。
【０１３２】
実施の形態では、第１軸と第２軸を有する座標の例を示したが、第１軸のみを有する座標であってもかまわない。たとえば、ＯＮ／ＯＦＦのみを制御する場合、第１軸を時間軸とし、該軸上の指でなぞられた部分は装置をＯＮに設定し、なぞられていない部分は装置をオフに設定するといったものでもよい。
【０１３３】
また、実施の形態では第１軸を時間軸とする例を示したが、時間軸は必須ではない。たとえば、温度を第１軸、風量を第２軸とする座標に線グラフを手書きすることで、温度対風量の特性を設定してもよい。たとえば、第１の座標で温度対風量の関係を設定し、第２の座標で時間と温度の関係を設定するようにすれば、第２の座標に従って空調装置のＯＮ／ＯＦＦおよび温度を制御して運転する際に、第１の座標に従って風量を制御することができる。
【０１３４】
実施の形態では、１つの座標上に１つまたは２つの線グラフを描く場合を例示したが、座標上に描く線グラフは３以上であってもかまわない。
【０１３５】
さらに、実施の形態では、連続した指の軌跡として線グラフや図２０（ｂ）の軌跡９３を入力する例を示したが、離散的な複数の点で線グラフ等を入力するようにしてもよい。たとえば、図５において、線グラフから設定値を取得するためのサンプリング間隔が５分であったとすると、各サンプリング箇所における温度等を点で指定して入力するように構成されてもよい。この場合、点の入力が行われなかったサンプリング箇所はＯＦＦの設定とすればよい。
【０１３６】
また、図２０では、連続した軌跡９３を手書き入力することで、２時間毎のサンプリング箇所に棒グラフ９４を表示するユーザＩ／Ｆをしめしたが、サンプリング箇所毎に棒グラフの長さを指定する点を入力することで、その箇所の棒グラフの長さを指定するユーザＩ／Ｆとしてもかまわない。この場合、点が入力されないサンプリング箇所、あるいは時間軸上に点の打たれたサンプリング箇所は、ＯＦＦの設定であると認識すればよい。
【０１３７】
また実施の形態では、線グラフを手書き入力する例を示したが、図２０等において各サンプリング箇所にて棒グラフ９４の手書き入力を受けるように構成されてもよい。
【０１３８】
実施の形態では、時間軸を２４時間とする例を示したが、１週間などでもよく、時間軸や他の軸に割り当てる値が取り得る範囲は、適宜に設定すればよい。
【０１３９】
実施の形態では、指で入力する例を示したが、たとえば、ペンによる入力でもかまわない。
【符号の説明】
【０１４０】
１０…設定入力装置
１１…表示部
１２…タッチスクリーン
１３…ＣＰＵ
１４…表示コントローラ
１５…操作部
１６…通信部
１７…メモリ
１８…ＲＯＭ
２０…座標
２１…時間対温度の線グラフ
２１ｂ、２１ｃ、２１ｄ…変形後の時間対温度の線グラフ
２２…時間帯風速の線グラフ
３０…座標
３１…時間対ミスト強弱の線グラフ
３２…時間対温度の線グラフ
４１…指でタッチした点
４２…タッチした指の移動先
４３、４４…固定点
５０…元の線グラフ
５１…固定点
５２…タッチした点（移動前）
５３…タッチした点の移動先
５４…変形後の線グラフ
５５…変形前の点
５６…変形が不適な点
６１、６３…指でタッチした点（移動前）
６２、６４…タッチした指の移動先
７０…時間と照度（ＯＮ／ＯＦＦを含む）の座標
７１…基準線
７２…ＯＮ領域
７３…ＯＦＦ領域
７４…時間対照度（ＯＮ／ＯＦＦを含む）の線グラフ
７６…時間と照度の座標
７７、７８ａ、７８ｂ…時間対照度の線グラフ（直線）
８０…時間と温度の座標
８１ａ、８１ｂ…時間対温度の線グラフ（直線）
８３…エネルギー表示欄
９０…環状の座標
９１…環状の時間軸
９２…第２軸（運転の強弱）
９３…指で描いた軌跡
９４…棒グラフ
９４ａ、９４ｂ…修正前の棒グラフ
９４ａ´、９４ｂ´…修正後の棒グラフ
９５…時計領域
９６…固定にされる棒グラフ
Ｆ…固定点
Ｐ１〜Ｐ５…修正操作の各箇所
Ｑ…環状の時間軸の中心
【図１】
2015140942.tif 000003
【図２】
2015140942.tif 000004
【図４】
2015140942.tif 000005
【図１４】
2015140942.tif 000006
【図１５】
2015140942.tif 000007
【図３】
2015140942.tif 000008
【図５】
2015140942.tif 000009
【図６】
2015140942.tif 000010
【図７】
2015140942.tif 000011
【図８】
2015140942.tif 000012
【図９】
2015140942.tif 000013
【図１０】
2015140942.tif 000014
【図１１】
2015140942.tif 000015
【図１２】
2015140942.tif 000016
【図１３】
2015140942.tif 000017
【図１６】
2015140942.tif 000018
【図１７】
2015140942.tif 000019
【図１８】
2015140942.tif 000020
【図１９】
2015140942.tif 000021
【図２０】
2015140942.tif 000022
【図２１】
2015140942.tif 000023
【図２２】
2015140942.tif 000024
【図２３】
2015140942.tif 000025